(57)【特許請求の範囲】
【請求項１】
ケースと、該ケース内に収容される誘電体共振器と、前記ケースに取り付けられる外部コネクタと、該外部コネクタに接続され前記誘電体共振器と結合する結合手段とを備え、該結合手段には主線部と、屈曲されることにより前記誘電体共振器との結合を調整することが可能な調整機構が形成され、少なくとも前記結合手段の前記調整機構を屈曲可能な略ロ字形状の板状部材で構成し、前記略ロ字形状の板状部材の対向する２辺の略中央部が主線部に固定され、前記固定部同士の中央部を結ぶ線分を中心線として、該中心線に対称な位置でかつ前記固定部の近傍に前記板状部材の幅が狭くされることによって容易に屈曲可能な屈曲容易部分が形成され、該屈曲容易部分で前記調整機構を屈曲自在としたことを特徴とする誘電体共振器装置。
【請求項２】
ケースと、該ケース内に収容される誘電体共振器と、前記ケースに取り付けられる外部コネクタと、該外部コネクタに接続され前記誘電体共振器と結合する結合手段とを備え、該結合手段には主線部と、屈曲されることにより前記誘電体共振器との結合を調整することが可能な調整機構が形成され、少なくとも前記結合手段の前記調整機構を屈曲可能な略ロ字形状の板状部材で構成し、前記略ロ字形状の板状部材の対向する２辺の略中央部が主線部に固定され、前記固定部同士の中央部を結ぶ線分を中心線として、該中心線に対称な位置でかつ前記固定部の近傍に前記板状部材の厚みが薄くされることによって容易に屈曲可能な屈曲容易部分が形成され、該屈曲容易部分で前記調整機構を屈曲自在としたことを特徴とする誘電体共振器装置。
【発明の詳細な説明】
【０００１】
【発明の属する技術分野】
本発明は、誘電体共振器装置に関し、さらに詳しくは、誘電体共振器の外部結合調整を容易に行うことができ、作業性および加工性に優れた誘電体共振器装置の構造に関する。
【０００２】
【従来の技術】
図４は、一般的な誘電体共振器の外部結合の構造を示す側面図である。
【０００３】
図４に示すように外部コネクタ５８に接続された金属線からなる結合ループ５９と誘電体柱６０が外部結合する構造となっている。すなわち、結合ループ５９に電流Ｅが矢印の方向に流れることにより、結合ループ５９を軸として磁界Ｍが発生し、この磁界Ｍにより、結合ループ５９と誘電体柱６０とが結合する。この時、結合ループ５９と誘電体柱６０との結合度は、結合ループ５９を構成する金属線の太さ、結合ループ５９の大きさ、結合ループ５９と誘電体柱６０との距離等の要素によって変化するものである。
【０００４】
図４のような誘電体共振器を用いた誘電体共振器装置には図５のようなものがあった。
【０００５】
図５はケース上部を取り外した状態での誘電体共振器装置の内部構造を示す図であり、（Ａ）は平面図、（Ｂ）は側面図である。
【０００６】
図５に示すようにケース３０に６つの誘電体共振器Ｒ１〜Ｒ６を配置収納している。一方の３つの誘電体共振器Ｒ１〜Ｒ３は受信側フィルタとして帯域通過フィルタを構成し、他方の３つの誘電体共振器Ｒ４〜Ｒ６は送信側フィルタとして帯域通過フィルタを構成している。ケース３０の側面には外部コネクタ３１〜３３が設けられている。外部コネクタ３２，３３の中心導体とアースであるケース３０間には誘電体共振器Ｒ１，Ｒ４と磁界結合する結合ループ３４，３５が設けられている。
【０００７】
図３は図５に示した外部コネクタ３１付近の構造を示す部分斜視図である。図３に示すように、外部コネクタ３１の中心導体３１ａは、結合ループ２１に取り付けられ、接続されている。
【０００８】
結合ループ２１は主線部２２と４つの支線部２３から構成されている。そして、この４つの支線部２３により、誘電体共振器Ｒ３，Ｒ６との主要な結合を行っている。
【０００９】
主線部２２には２つの位相調整部２４が設けられ、中心部分で外部コネクタ３１の中心導体３１ａが半田２６により接続固定されており、両端でネジ止め用の圧着端子２７を介してアースであるケース３０に接続固定されている。
【００１０】
２つの位相調整部２４は、結合ループ２１が誘電体共振器Ｒ３，Ｒ６と磁界結合した際に、位相調整部２３で誘電体共振器Ｒ３，Ｒ６と外部コネクタ３１の中心導体３１ａとの位相を調整する。この位相調整部２４はそのインダクティブ成分が、誘電体共振器Ｒ３，Ｒ６と主要な結合をする４つの支線部２３と等価的に並列に入ることにより、また、支線部２３および誘電体共振器Ｒ３，Ｒ６と結合することによって、外部コネクタ３１の中心導体３１ａと誘電体共振器Ｒ３，Ｒ６の間の位相を調整していると考えられる。
【００１１】
また、主線部２２の中心部は、２つのフッ素樹脂製の円筒型ブッシュ２８に支持されている。
【００１２】
４つの支線部２３は略コの字型に成型され、コの字型の突出した先端のうち一方がそれぞれ、主線部２２に形成された穴に差し込まれ半田付により接続固定されている。支線部２３の他方の先端には、ネジ止め用の圧着端子２７が取り付けられ、主線部２２の両端とともにアースであるケース３０に接続固定されている。
【００１３】
このような結合ループ２１において、誘電体共振器Ｒ３，Ｒ６との結合調整は、ケース３０上部を取り外した状態で、もしくは、ケース３０に調整治具を差し込む穴を形成して、調整治具を用いて調整する。その時、調整治具で結合ループ２１の支線部２３をケース３０側に近付ける（誘電体共振器Ｒ３，Ｒ６から遠ざける）ように屈曲する、もしくは誘電体共振器Ｒ３，Ｒ６側に近付ける（ケース３０から遠ざける）ように屈曲することにより、すなわち、支線部２３を開閉することにより調整していた。
【００１４】
【発明が解決しようとする課題】
ところで、従来、結合ループは金属線によって構成されていたが、結合ループを構成するには、上記のように、結合ループの主線部の取り付ける部分に穴を形成してその穴に支線部の一方の先端を差し込み、半田付で接続固定していた。このような穴を細い金属線に形成するのはかなり困難なことであるため、結合ループの作成が困難で手間がかかるものとなっていた。
【００１５】
また、所望の外部結合の値となるように結合ループを構成しても、結合ループ構成後、個々の結合ループごとに形状が微妙に異なり、誘電体共振器装置ごとに外部結合の値にバラツキが生じることとなっていたため、個々の結合ループごとに大きく調整しなければならなかった。
【００１６】
しかも、外部コネクタの中心導体に接続する部分と位相調整部の２つの部分から構成される主線部、４つの支線部、主線部を支持するブッシュ、ネジ止め用の圧着端子等部品点数が多かった。
【００１７】
また、金属線で結合ループの各部分を構成しているので、金属線を適度な長さにした後、必要な形状に変形させなければならず、加工に手間がかかった。
【００１８】
したがって、上記要因により誘電体共振器装置のコストが上がることとなっていた。
【００１９】
さらに、調整治具で支線部を開閉することによって外部結合度を調整しているため、結合ループにおける半田付で接続固定された部分に負荷がかかることになり、半田が剥がれたり、差し込んだ金属線の先端部が抜けることにより、結合ループの特性が所定の値から変化し、誘電体共振器装置全体の特性が所望の特性からずれる恐れがあった。
【００２０】
本発明は、これらの問題点を鑑みてなされたもので、作業性および加工性に優れ、コストを低減させることができ、かつ結合ループの接続固定部分に問題が生じることなく、容易に外部結合調整を行うことのできる誘電体共振器装置を提供することを目的とする。
【００２１】
そこで、請求項１に係る発明では、ケースと、該ケース内に収容される誘電体共振器と、前記ケースに取り付けられる外部コネクタと、該外部コネクタに接続され前記誘電体共振器と結合する結合手段とを備え、該結合手段には主線部と、屈曲されることにより前記誘電体共振器との結合を調整することが可能な調整機構が形成され、少なくとも前記結合手段の前記調整機構を屈曲可能な略ロ字形状の板状部材で構成し、前記略ロ字形状の板状部材の対向する２辺の略中央部が主線部に固定され、前記固定部同士の中央部を結ぶ線分を中心線として、該中心線に対称な位置でかつ前記固定部の近傍に前記板状部材の幅が狭くされることによって容易に屈曲可能な屈曲容易部分が形成され、該屈曲容易部分で前記調整機構を屈曲自在としている。
【００２２】
また、請求項２に係る発明では、ケースと、該ケース内に収容される誘電体共振器と、前記ケースに取り付けられる外部コネクタと、該外部コネクタに接続され前記誘電体共振器と結合する結合手段とを備え、該結合手段には主線部と、屈曲されることにより前記誘電体共振器との結合を調整することが可能な調整機構が形成され、少なくとも前記結合手段の前記調整機構を屈曲可能な略ロ字形状の板状部材で構成し、前記略ロ字形状の板状部材の対向する２辺の略中央部が主線部に固定され、前記固定部同士の中央部を結ぶ線分を中心線として、該中心線に対称な位置でかつ前記固定部の近傍に前記板状部材の厚みが薄くされることによって容易に屈曲可能な屈曲容易部分が形成され、該屈曲容易部分で前記調整機構を屈曲自在としている。
【００２３】
したがって、金属性の板を打ち抜く、あるいは、エッチングすることにより、容易に必要な形状に加工することができる。また、ある一定の幅があるため、結合ループを構成する際の接続固定部分に穴を開けることが比較的容易である。さらに、板状部材は幅より厚みの方が寸法が小さくなるため、厚み方向に比較的容易に屈曲させることが可能となる。さらに、調整機構の所定位置に屈曲容易部分を形成しているので、所定位置で容易に屈曲させることができる。
【００２５】
【発明の実施の形態】
以下、本発明に係る誘電体共振器装置を説明する。
全体的な構成は、図５に示す一般的な誘電体共振器装置と同様であるため、同一部分には、従来と同一の符号を付し、詳しい説明は省略する。
【００２６】
図１は図５に示した外部コネクタ３１付近の構造を示す斜視図である。図１に示すように、外部コネクタ３１の中心導体３１ａは、結合ループ１に取り付けられ、接続されている。
【００２７】
結合ループ１は主線部２と２つの支線部３から構成されている。そして、この２つの支線部３により、誘電体共振器Ｒ３，Ｒ６との主要な結合を行っている。
【００２８】
主線部２は、略中央に穴が形成され、その穴に外部コネクタ３１の中心導体３１ａが差し込まれる。外部コネクタ３１の中心導体３１ａの先端には、本来の中心導体３１ａの径より小さい径の雄ネジ部３１ｂが螺刻されており、主線部２の穴に差し込まれた後、突出した中心導体３１ａ先端の雄ネジ部３１ｂがナット６で螺止されることにより、主線部２と。外部コネクタ３１の中心導体３１ａが接続固定されている。
【００２９】
さらに、主線部２には位相調整部４が形成されている。２つの位相調整部４は、結合ループ１が誘電体共振器Ｒ３，Ｒ６と磁界結合した際に、位相調整部４で誘電体共振器と外部コネクタ３１の中心導体３１ａとの位相を調整するためのものである。この位相調整部４はそのインダクティブ成分が、誘電体共振器Ｒ３，Ｒ６と主要な結合をする支線部３と等価的に並列に入ることにより、また、支線部３および誘電体共振器Ｒ３，Ｒ６と結合することによって、外部コネクタ３１の中心導体３１ａと誘電体共振器Ｒ３，Ｒ６の間の位相を調整していると考えられる。
【００３０】
また、主線部２には、２つの位相調整部４を挟むように４つの穴が中央部の穴と同様に形成されており、雄ネジ５によって２つの支線部３と接続されるとともに、アースであるケース３０とも接続固定されている。
【００３１】
２つの支線部３は大きめの板材から略ロの字型に成型され、それぞれのロの字型の対向する２辺の略中央部に穴が形成されている。そして、主線部２に形成された穴と重なるように配置され雄ネジ５により接続固定されている。
【００３２】
このような結合ループ１において、誘電体共振器Ｒ３，Ｒ６との結合調整は、ケース３０上部を取り外した状態で、もしくは、ケース３０に調整治具を差し込む穴を形成して、調整治具を用いて調整する。その時、調整治具で結合ループ１の支線部３をケース３０側に近付ける（誘電体共振器Ｒ３，Ｒ６から遠ざける）ように屈曲する、もしくは誘電体共振器Ｒ３，Ｒ６側に近付ける（ケース３０から遠ざける）ように屈曲することにより、すなわち、支線部３を開閉することにより調整する。
【００３３】
本実施例においては、結合ループ１を板状部材で構成したので、結合ループ１の加工、成型を容易に行うことができる。また、板状部材で構成しているので、幅よりも厚みの寸法が小さいので厚み方向への屈曲を容易に行うことができる。すなわち、支線部３の開閉を容易に行うことができる。さらに、支線部３をロ字形状に成型したので、従来コ字形状の部材が４つ必要とした支線部を、２つにすることができる。そして、外部コネクタ３１の中心導体３１ａの雄ネジ部３１ｂを本来の中心導体３１ａの径よりも小さい径にしているので、結合ループ１の主線部２中央部の穴に中心導体３１ａを差し込んだときに、中心導体３１ａの雄ネジ部３１ｂとそれ以外の部分との境界にできる段差部で主線部２が支持されることになる。すなわち、従来必要であった樹脂製の支持部材を不要にすることができる。
【００３４】
図２は本発明の誘電体共振器装置の外部結合部分の変形例を示す図である。本変形例は図１に示した実施例とは結合ループの支線部の形状を異ならせているものであり、図１の実施例と同一部分には同一符号を付して詳しい説明は省略する。
【００３５】
図２に示すように支線部１３の穴を形成する部分の幅を本来の支線部１３の幅より寸法を大きくするとともに、穴を形成する部分近傍の所定位置（例えば穴の両側の部分）に本来の支線部１３の幅より寸法を小さくした屈曲容易部１３ａを形成している。
【００３６】
したがって、支線部１３の穴周囲の部分の幅の寸法をあらかじめ大きくしているので、図１に示した実施例に比べて、さらに支線部１３に穴を形成することが容易になっている。また、所定位置に屈曲容易部分１３ａを形成しているので、支線部１３を開閉させて結合調整を行う場合に、予め設定した屈曲容易部分で屈曲させることができる。
【００３７】
なお、本実施例では、屈曲容易部分１３ａを幅の寸法を小さくすることにより構成したがこれに限るものではなく、例えば、厚みを所定位置のみ薄くすることによって構成しても良い。すなわち、所定位置で容易に屈曲させることができる構成であるならばその手法は問わない。
【００３８】
【発明の効果】
本発明によれば、結合手段である結合ループを屈曲可能な板状部材で構成することにより、厚み方向に容易に屈曲させることができるので、結合調整が容易になり、しかも、結合ループを構成する部材の接続固定部分に加わる負荷を減少させることができる。また、結合ループの支線部は開閉方向にのみ変形しやすく、他方向には変形しにくいため、誘電体共振器装置ごとのバラツキが小さくなり、調整が容易に行え、場合によっては無調整も可能である。
【００３９】
また、接続固定部分が変形したり、脱落することを防止し、またそれによる結合ループひいては誘電体共振器装置の特性変動も防止することができる。
【００４０】
さらに、結合ループを板状部材で構成することにより加工性を向上させ、部品点数を減少させたので、結合ループ部分に要するコストを低減することができる。
【００４１】
また、結合手段の所定位置に他の部分より剛性の低い屈曲容易部分を形成して所定位置で容易に屈曲させるようにしたので、接続固定部分に加わる負荷をさらに低減することができる。したがって、屈曲容易部分を形成した場合、接続固定部分の変形、脱落による結合ループの特性変動をさらに防止することができる。
【図面の簡単な説明】
【図１】本発明にかかる誘電体共振器装置の外部結合部分を示す斜視図である。
【図２】本発明の変形例を示す外部結合部分の平面図である。
【図３】従来の誘電体共振器装置の外部結合部分を示す斜視図である。
【図４】一般的な誘電体共振器装置の外部結合部分と共振部分との結合を示す概略断面図である。
【図５】従来の誘電体共振器装置の内部構造を示す図であり、（Ａ）は平面図、（Ｂ）は側面図である。
【符号の説明】
１  結合ループ
２  主線部
３  支線部
４  位相調整部
５  雄ネジ
６  ナット
３０  ケース
３１ａ  中心導体
３１ｂ  雄ネジ部
【図１】
0003648810.tif 000002
【図２】
0003648810.tif 000003
【図３】
0003648810.tif 000004
【図４】
0003648810.tif 000005
【図５】
0003648810.tif 000006